(57)【要約】【課題】散歩中の犬の採糞と後始末が誰にでも、どのような状況下にあっても楽にかつ安全・確実にでき、採糞前後は人も犬も散歩や交流が楽しめるようにした、ステッキ（柄の部分）の伸縮が自在で、採糞したカップが取り出せ、トイレに流せる犬の散歩用糞取り器を提供する。【解決手段】上端に紐（３）と下端に滑り止めのゴム（６）と伸縮を自在にするために上方にアジャスタ−（２）を設けたステッキ（１）と、切り込み部分（５）と脚（７）を設けた楕円形のカップ（４）を一体化し、その内側に磁石（１１）と把手（１０）の付いた開閉式の蓋（９）と持ち運びのための把手（１２）を設けた楕円形のカップ（８）を収納した、柄の長さが自在でかつ２重構造のカップを特徴とする。【選択図】  図１
2006061141.tif 000002
【特許請求の範囲】
【請求項１】
「（イ）ステッキ（１）の上端に、紐（３）を設ける。
（ロ）ステッキ（１）の上方に、アジャスタ−（２）を設ける。
（ハ）ステッキ（１）の下方に、楕円形のカップ（４）を設ける。
（ニ）楕円形のカップ（４）の側面に切り込み（５）を設ける。
（ホ）楕円形のカップ（４）の外底全体に脚（６）を設ける。
（ヘ）ステッキ（１）の下端に滑り止めのゴム（７）を設ける。
（ト）楕円形のカップ（４）の内側に入る、もう１つの楕円形のカップ（８）を設ける。
（チ）内側の楕円型のカップ（８）に、開閉ができる蓋（９）を設ける。
（リ）蓋（９）に把手（１０）を設ける。
（ヌ）蓋（９）に磁石（１１）を設ける。
（ル）内側の楕円形のカップ（８）の側面に把手（１２）を設ける。
以上の構成よりなる犬の散歩用糞取り器。」
【発明の詳細な説明】
【発明の詳細な説明】
【技術分野】
【０００１】  この発明は、伸縮が自在のステッキと楕円形のカップを一体にし、そのカップの内側に、把手と開閉式の蓋が付いた楕円形のカップをもう１つ収納し、かつ立てて置くことができるようにした、取り扱いが簡単なうえ、確実な採糞機能とファッション性を備えた犬の散歩用糞取り器に関するものである。
【背景技術】
【０００２】  従来、犬の散歩用糞取り器には、１）スコップ型、２）挟み取り型、３）カ−トリッジ袋型，４）塵取り型、５）ステッキ型（特開２００３−３１００８４）、があった。これらの糞取り器は採糞機能に重点が置かれていた。しかし、糞の性状や量それに地面の状況によっては確実な採取が困難であったり、採糞のための準備や操作が煩雑であった。さらに、これらは使う人の態勢や採糞後の処理方法、散歩道具としてのファッション性はほとんど考慮されていなかった。
【発明が解決しようとする課題】
【０００３】  これらは次のような欠点があった。（項目の後の数字は、先の
【背景技術】にあげた番号を指している）
（イ）腰や膝を曲げるのに支障のある人は使いにくい。→（１、２、３）
（ロ）柄の長さが一定なので、身長に合わせた使い方ができない。→（３、４）
（ハ）柄が短いと、夜間や草むらでの採糞には危険が伴う。→（１，２）
（ニ）採糞のための袋のセットに手間取る。→（５）
（ホ）蓋の開閉や採糞袋のセットに機械的な操作が必要で、慣れるのに時間がかかり、子供や高齢者には使いにくい。→（５）
（ヘ）複雑な構造になっており、コスト・メンテナンス・耐久性の面で問題がある。→（５）
（ト）風雨時には手や体が濡れ、採糞しにくい。→（１、２）
（チ）草むらや石ころの多い地面では採糞しにくい。→（１、２、４）
（リ）軟らかい糞の場合、完全には採糞できない。→（１、２、４）
（ヌ）２度目の採糞時に先に採った糞がこぼれてしまう。→（２、４）
（ル）交換の袋が規定されているので、他の袋が代用できない。→（３）
（ヲ）紙製のものは繰り返しの使用がきかない。→（１）
（ワ）採糞した糞を一般ゴミとして処理することが前提になっている。→（１、２、３、５）
（カ）採糞後はその道具を手から離したり、立てて置くことができないため、仲間と出会っても人も犬も、ゆっくりコミュニケ−ションを図ることができない。→（３、４、５）
（ヨ）トイレットペ−パ−の装着がしにくい。→（４）
（タ）トイレットペ−パ−が容器の外に出ているので、見た目が悪い。→（４）
（レ）蓋の開閉のための爪が容器の底にあるため、不用意に開いてしまい中の糞が出てしまうことがある。→（４）
（ソ）糞を受ける面が平らなので、採糞時に容器より転げ落ちたり、流れ出てしまう。→（４）
本発明は、以上のような欠点を失くすためになされたものである。
【課題を解決するため手段】
【０００４】  上端に紐（３）と下端に滑り止めのゴム（７）と伸縮を自在にするために上方にアジャスタ−（２）を設けたステッキ（１）の下方で、切り込み部分（５）と外底部に脚（６）を設けた楕円形のカップ（４）を一体化し、この楕円形のカップ（４）の内側に、磁石（１１）と把手（１０）の付いた開閉式の蓋（９）と持ち運びのための把手（１２）を設けた楕円形のカップ（８）を収納した。
本発明は、以上の構成よりなる犬の散歩用糞取り器である。
【発明を実施するための最良の形態】
【０００５】  以下、本発明の実施の形態について説明する。
ステッキ（１）の上端に紐（３）を設ける。
ステッキ（１）の上方にアジャスタ−（２）を数ヵ所設ける。
ステッキ（１）の下方に楕円形のカップ（４）を設ける。
楕円形のカップ（４）の側面に、内側の楕円形のカップ（８）の把手（１２）が差し込めるように切り込み部分（５）を設ける。
楕円形型のカップ（４）の外底全体に脚（６）を設ける。
ステッキ（１）の下端に、滑り止めのゴム（７）を設ける。
楕円形のカップ（４）の内側に入る、もう一つの楕円形のカップ（８）を設ける。
内側の楕円形のカップ（８）に、開閉ができる蓋（９）を設ける。
蓋（９）に把手（１０）を設ける。
蓋（９）に磁石（１１）を設ける。
内側の楕円形のカップ（８）の側面に、楕円形のカップ（４）の切れ込み部分（５）に納まる位置に把手（１２）を設ける。
本発明は、以上のような構造でこれの使い方を次に説明する。
１．散歩に出かける前に、使用者が使いやすいステッキ（１）の長さに、アジャスタ−（２）で調節する。
２．内側の楕円形のカップ（８）を取り出す。
３．内側の楕円型のカップ（８）の蓋（９）を開け、トイレットペ−パ−をカップの外側にも十分な余分をとって、敷く。
４．トイレットペ−パ−を敷いた内側のカップ（８）を、余分のペ−パ−をカップ（４）の底面に敷き込みながら、カップ（４）の中に収納して、散歩に出る。
５．犬が排便ポ−ズをとったら、楕円型のカップ（８）の蓋（９）が開けれる高さまで、ステッキ（１）を持ち上げる。
６．把手（１０）を持って蓋（９）を引き上げ、蓋（９）を磁石（１１）でステッキ（１）に固定する。
７．ステッキ（１）をもって、犬の後ろ両足の間に、カップ（８）を収納したカップ（４）を挿入するようにして地面に置き、採糞する。
８．採糞後は蓋（９）をする。その後、途中で散歩や会話を楽しむ場合は、立てておく。
９．家に着いたら、把手（１２）を持って内側の楕円形のカップ（８）を取りだし、トイレに持っていく。
１０．蓋（９）の把手（１０）とカップ（８）の把手（１２）の両方を持って、蓋（９）を開け、中の糞をトイレットペ−パ−と一緒にトイレに流す。
１１．カップ（８）をカップ（４）に収納し、紐（３）を使って、所定の場所に掛けておく。
【発明の効果】
【０００６】  （イ）ステッキの長さが簡単に調節できるので、子供から老人まで誰でも使える。
（ロ）立った姿勢で採糞するので、腰や膝に支障がある人も使える。
（ハ）立った姿勢で採糞するので、手を汚したり・傷つけたり・濡らしたりすることがない。
（ニ）ステッキの長さを調節しながら脚が付いたカップで受けるので、どのような場所、また夜間でも安定して、確実に採糞ができる。そのため、環境を汚染することがない。
（ホ）カップ式なので、どんな性状・多量の糞でも確実に受けることができる。
（ヘ）カップ式に加え蓋が有るので、糞の臭気を防ぎ、採った糞をこぼし落とすことがない。
（ト）蓋の開閉が簡単なので、誰もが使える。
（チ）カップが２重構造になっているので、糞の処理は内側のカップだけの持ち運びで済む。そのため、採ってきた糞の持ち運びが容易で、トイレでの処理も簡単にできる。
（リ）糞はトイレに流すので、衛生的で、環境を汚染することがない。
（ヌ）カップの中敷にトイレットペ−パ−を使用するので、安価。
（ル）採糞後に仲間や友人と出会っても、この糞取り器は立てて置くことができるので、人も犬もゆっくり交流が楽しめる。
（ヲ）外からトイレットペ−パ−が見えない構造なので、下用の道具には見えず、街中でも抵抗感なく持ち歩ける。
（ワ）散歩中の採糞と後始末が楽にかつ確実にできるうえ、抵抗感なく持ち歩ける。このことは犬の飼い易さや世間一般の人たちの犬との共存意識の高揚につながり、ひいては犬の福祉向上に役立つ。
【図面の簡単な説明】
【図１】  本発明の分解斜視図である。
【図２】  本発明の斜視図である。
【符号の説明】
１    ステッキ
２    アジャスタ−
３    紐
４    楕円型カップ
５    切り込み部分
６    脚
７    滑り止めゴム
８    内側の楕円形カップ
９    内側の楕円形カップの蓋
１０  蓋の把手
１１  蓋の磁石
１２  内側の楕円形のカップの把手
【図１】
2006061141.tif 000003
【図２】
2006061141.tif 000004